(57)【要約】【課題】  簡単に、ユーザの音声が入ったオーディオデータを作成することのできるオーディオデータ作成システムの提供。【解決手段】  オーディオデータ作成システムは、音声データとオーディオデータとをミキシングし、前記音声データが合成されたオーディオデータを作成するミキシング装置と、前記ミキシング装置に対して、ユーザから入力された音声を音声データに変換して供給するユーザ端末と、前記ミキシング装置に対して、前記ユーザから指定されたオーディオデータを指示または供給する音源装置と、を含み、ユーザの音声が入ったオーディオデータを作成する。【選択図】  図１
2010256720.tif 000002
【特許請求の範囲】
【請求項１】
音声データとオーディオデータとをミキシングし、前記音声データが合成されたオーディオデータを作成するミキシング装置と、
ユーザから入力された音声を音声データに変換し、前記ミキシング装置に対して供給するユーザ端末と、
前記ミキシング装置に対して、前記ユーザから指定されたオーディオデータを指示または供給する音源装置と、を含み、ユーザの音声が入ったオーディオデータを作成可能なオーディオデータ作成システム。
【請求項２】
前記ミキシング装置は、前記ユーザ端末側に内蔵されている請求項１のオーディオデータ作成システム。
【請求項３】
前記ミキシング装置は、前記音源装置側に内蔵されている請求項１のオーディオデータ作成システム。
【請求項４】
前記オーディオデータは、ユーザ端末側で再生されているカラオケデータである請求項１から３いずれか一のオーディオデータ作成システム。
【請求項５】
前記ミキシング装置は、複数のユーザ端末から供給された音声データとオーディオデータとをミキシングして、複数のユーザの音声が入ったオーディオデータを作成する請求項４のオーディオデータ作成システム。
【請求項６】
前記ミキシング装置は、前記ユーザの音声が入ったオーディオデータを、前記ユーザ端末に転送する請求項１、３から５いずれか一のオーディオデータ作成システム。
【請求項７】
前記音源装置は、カラオケ機器であり、
前記ユーザ端末は、前記カラオケ機器のマイクとして利用可能な携帯端末である請求項１から６いずれか一のオーディオデータ作成システム。
【請求項８】
前記音源装置は、カラオケ機器であり、
前記ユーザ端末は、前記カラオケ機器のマイクとして利用可能な携帯端末である請求項１から６いずれか一のオーディオデータ作成システム。
【請求項９】
前記ミキシング装置は、前記音源装置からの配信要求に基づきオーディオデータを配信するサーバとしても機能する請求項１のオーディオデータ作成システム。
【請求項１０】
音声データとオーディオデータとをミキシングし、前記音声データが合成されたオーディオデータを生成するミキシング装置と接続可能であり、
前記ミキシング装置に対して、前記ユーザから指定されたオーディオデータを指示または供給する音源装置と、連携して動作し、
ユーザから入力された音声を音声データに変換し、前記ミキシング装置に対して供給するユーザ端末。
【請求項１１】
音声データとオーディオデータとをミキシングし、前記音声データが合成されたオーディオデータを生成するミキシング装置を内蔵し、
前記ミキシング装置に対して、前記ユーザから指定されたオーディオデータを指示または供給する音源装置と、連携して動作し、
ユーザから入力された音声を音声データに変換し、前記ミキシング装置に対して供給するユーザ端末。
【請求項１２】
ユーザから入力された音声を音声データに変換し、ミキシング装置に対して供給するユーザ端末と、
前記ミキシング装置に対して、前記ユーザから指定されたオーディオデータを指示または供給する音源装置と、接続され、
前記ユーザ端末から供給された音声データと、前記音源装置から指示または供給されたオーディオデータとをミキシングし、前記音声データが合成されたオーディオデータを生成するミキシング装置。
【請求項１３】
ユーザから入力された音声を音声データに変換し、ミキシング装置に対して供給するユーザ端末と、
前記ユーザ端末から供給された音声データと、オーディオデータとをミキシングし、前記音声データが合成されたオーディオデータを生成するミキシング装置と、接続され、
前記ミキシング装置に対して、前記ユーザから指定されたオーディオデータを指示または供給する音源装置。
【請求項１４】
音声データとオーディオデータとをミキシングし、前記音声データが合成されたオーディオデータを生成するミキシング装置を内蔵し、
ユーザから入力された音声を音声データに変換して出力するユーザ端末から供給された音声データと、ユーザから指定されたオーディオデータとを、前記ミキシング装置に合成させる音源装置。
【請求項１５】
ミキシング装置に、ユーザから指定されたオーディオデータを入力するステップと、
前記ミキシング装置に、前記ユーザから入力された音声を音声データに変換して入力するステップと、
ミキシング装置が、前記ユーザ端末から出力された音声データと、前記音源装置から指示または供給されたオーディオデータとを、ミキシングし、前記音声データが合成されたオーディオデータを生成するステップと、を含むオーディオデータの作成方法。
【請求項１６】
音声データとオーディオデータとをミキシングし、前記音声データが合成されたオーディオデータを生成するミキシング装置と接続されたユーザ端末、
または、音声データとオーディオデータとをミキシングし、前記音声データが合成されたオーディオデータを生成するミキシング装置を内蔵するユーザ端末に搭載されたコンピュータに実行させるプログラムであって、
前記ミキシング装置に対して、前記ユーザから指定されたオーディオデータを指示または供給する音源装置と連携して、
前記ミキシング装置に対して、ユーザから入力された音声を音声データに変換して供給する処理を実行させるプログラム。
【発明の詳細な説明】
【技術分野】
【０００１】
本発明は、オーディオデータ作成システム、オーディオデータ作成システムを構成する装置、オーディオデータ作成方法およびプログラムに関し、特に、ミキシング技術を用いてオーディオデータを作成するオーディオデータ作成システム、オーディオデータ作成システムを構成する装置、オーディオデータ作成方法およびプログラムに関する。
【背景技術】
【０００２】
特許文献１に、ある言語の歌詞で歌われている曲を、旋律はそのままに、別の言語の歌詞で歌われている曲に変換する機能を備えた情報処理装置が開示されている。この情報処理装置は、ボーカル音声入りの楽曲情報を、ボーカル情報と、伴奏情報とに分離し、ボーカル情報について音声認識処理を行って一次言語文字情報を生成し、さらに、情報の種類として少なくとも楽曲情報が格納され、格納された情報のうちから所要の情報を選択して出力可能とされる情報格納手段と、上記情報格納手段から出力された楽曲情報について、ボーカル情報と伴奏情報とに分離する楽曲情報分離手段と、上記ボーカル情報に基づいてそのボーカルの発音言語による音声認識を行って一次言語文字情報を生成する音声認識手段と、上記一次言語文字情報について所定の他の言語に翻訳して二次言語文字情報を生成する翻訳手段と、上記二次言語文字情報を利用して翻訳言語により発音される翻訳ボーカル情報を生成し、この翻訳ボーカル情報と上記伴奏情報を合成することにより、翻訳言語によるボーカルパートを含む合成楽曲情報を生成する情報合成手段との全て或いは一部を備えている。
【先行技術文献】
【特許文献】
【０００３】
【特許文献１】特開平１１−７３１９２号公報
【発明の概要】
【発明が解決しようとする課題】
【０００４】
動画投稿サイトに、自分で歌った曲をアップロードする人が増えてきているが、スタジオ等の設備を持たない一般ユーザが綺麗な音声で録音することは難しいという問題点がある。
【０００５】
特許文献１の情報処理装置が作成可能な楽曲情報は、翻訳後のテキストを元に、音声合成技術により生成した翻訳ボーカル情報（人工音声）を、伴奏情報と合成（ミキシング）した楽曲情報を生成できるのみであり、ユーザの歌声が入った楽曲を作成できる訳ではない。
【０００６】
本発明は上記した事情に鑑みてなされたものであって、その目的とするところは、できるだけ簡単に、ユーザの音声が入ったオーディオデータを作成することのできるオーディオデータ作成システム、オーディオデータ作成システムを構成する装置、オーディオデータ作成方法およびプログラムを提供することにある。
【課題を解決するための手段】
【０００７】
本発明の第１の視点によれば、音声データとオーディオデータとをミキシングし、前記音声データが合成されたオーディオデータを作成するミキシング装置と、ユーザから入力された音声を音声データに変換し、前記ミキシング装置に対して供給するユーザ端末と、前記ミキシング装置に対して、前記ユーザから指定されたオーディオデータを指示または供給する音源装置と、を含み、ユーザの音声が入ったオーディオデータを作成可能なオーディオデータ作成システムが提供される。
【０００８】
本発明の第２の視点によれば、ミキシング装置に、ユーザから指定されたオーディオデータを入力するステップと、前記ミキシング装置に、前記ユーザから入力された音声を音声データに変換して入力するステップと、ミキシング装置が、前記ユーザ端末から出力された音声データと、前記音源装置から出力されたオーディオデータとを、ミキシングし、前記音声データが合成されたオーディオデータを生成するステップと、を含むオーディオデータの作成方法が提供される。
【０００９】
本発明の第３の視点によれば、上記したオーディオデータ作成システムを構成するユーザ端末、音源装置、ミキシング装置およびこれら装置に実行させるプログラムが提供される。
【発明の効果】
【００１０】
本発明によれば、簡単に、ユーザの音声が入った高品質のオーディオデータを作成することが可能となる。
【図面の簡単な説明】
【００１１】
【図１】本発明の第１の実施形態の構成を説明するための図である。
【図２】図１の携帯端末の詳細構成を表したブロック図である。
【図３】本発明の第１の実施形態におけるオーディオデータの作成フローを表したシーケンス図である。
【図４】本発明の第２の実施形態の構成を説明するための図である。
【図５】図４の携帯端末の詳細構成を表したブロック図である。
【図６】本発明の第２の実施形態におけるオーディオデータの作成フローを表したシーケンス図である。
【図７】本発明の第３の実施形態の構成を説明するための図である。
【図８】図７の携帯端末の詳細構成を表したブロック図である。
【図９】本発明の第３の実施形態におけるオーディオデータの作成フローを表したシーケンス図である。
【発明を実施するための形態】
【００１２】
［第１の実施形態］
続いて、本発明の第１の実施形態について図面を参照して詳細に説明する。図１は、本発明の第１の実施形態の構成を説明するための図である。図１を参照すると、無線網１０３を介して、携帯電話端末等の携帯端末１０１と、カラオケ機器等の音源装置１０４とが接続された構成が示されている。
【００１３】
携帯端末１０１は、音源装置１０４と音声データやオーディオデータ（楽曲データ）を送受信するための無線送受信部１０２と、マイク（音声入力部）１０６と、メモリ１０８とを備えている。
【００１４】
音源装置１０４は、携帯端末１０１と音声データやオーディオデータを送受信するための無線送受信部１０５と、携帯端末１０１から受信した音声データと、自装置が保持するオーディオデータとをミキシング（合成）し、ミキシング（合成）した携帯端末ユーザの音声入りのオーディオデータを出力するミキシング部１０７とを備えているカラオケ機器等である。
【００１５】
図２は、図１の携帯端末１０１の詳細構成を表したブロック図である。図２を参照すると、携帯端末１０１は、携帯端末各部を制御するＣＰＵ１０９を備え、マイク（音声入力部）１０６から入力されたユーザの音声を符号化して音声データに変換し、無線送受信部１０２を介して、音源装置１０４に音声データを送出することが可能となっている。また、携帯端末１０１は、無線送受信部１０２を介して、音源装置１０４から返送されたオーディオデータをメモリ１０８に保存する。
【００１６】
続いて、本実施形態の動作について図面を参照して詳細に説明する。図３は、本実施形態におけるオーディオデータの作成フローを表したシーケンス図である。
【００１７】
図３を参照すると、まず、携帯端末１０１のユーザが音源装置１０４から出力されるオーディオデータに合わせて歌を歌う前に、携帯端末１０１の無線送受信部１０２が、音源装置１０４に対し、所定の暗号化方式にて暗号化した認証情報を含む無線設定情報を送信し、音源装置１０４に対し認証を要求する（ステップＳ１０１）。
【００１８】
音源装置１０４は、携帯端末１０１から受信した無線設定情報を用いて認証処理を行う、認証に成功した場合、携帯端末１０１に対し、認証完了通知を送出する（ステップＳ１０２）。なお、認証に失敗した場合の処理は、本発明に関連しないので説明を省略する。
【００１９】
音源装置１０４は、前記認証に成功すると、携帯端末１０１のユーザから指定されたオーディオデータの再生を開始する。携帯端末１０１は、前記認証完了通知を受信したタイミングで音声受け入れ状態となり、音源装置１０４から流れ出した楽曲に合わせて、携帯端末１０１のマイク１０６から入力された音声を音声データに変換して、音源装置１０４に送信する（ステップＳ１０３）。
【００２０】
音源装置１０４は、無線送受信部１０５にて受信した音声データと、演奏中のオーディオデータとをミキシング（合成）する（ステップＳ１０４）。
【００２１】
以上の処理は、前記指定されたオーディオデータの再生終了もしくは演奏中止操作が行われるまで継続される。一方、音源装置１０４は、前記指定されたオーディオデータの再生終了もしくは演奏中止操作が行われると、無線送受信部１０５を介して、ミキシング部１０７にて合成し終わったオーディオデータを携帯端末１０１に送信する。
【００２２】
携帯端末１０１は、前記ユーザの音声がミキシングされたオーディオデータ（合成データ）をそのメモリ１０８に保存する（ステップＳ１０５）。
【００２３】
携帯端末１０１のユーザは、このようにして音源装置１０４にて作成された自らの音声入りのオーディオデータを聴いたり、電子メール等により配布したり、インターネット上で公開したりすることが可能になる。
【００２４】
［第２の実施形態］
続いて、ミキシング処理を携帯端末側で行うようにした本発明の第２の実施形態について図面を参照して詳細に説明する。図４は、本発明の第２の実施形態の構成を説明するための図である。図４を参照すると、無線網２０３を介して、携帯電話端末等の携帯端末２０１と、カラオケ機器等の音源装置２０４とが接続された構成である点は上記した第１の実施形態と同様である。
【００２５】
本実施形態に係る携帯端末２０１は、音源装置２０４とオーディオデータを送受信するための無線送受信部２０２と、マイク（音声入力部）２０６と、メモリ２０８と、マイク２０６から入力された音声と、音源装置２０４から受信したオーディオデータとをミキシング（合成）してメモリ２０８に保存するミキシング部２０７と、を備えている。
【００２６】
音源装置２０４は、携帯端末２０１に対し、オーディオデータを送信するための無線送受信部２０５を備えているカラオケ機器等である。
【００２７】
図５は、図４の携帯端末２０１の詳細構成を表したブロック図である。図２に示した第１の実施形態の携帯端末１０１との相違点は、マイク（音声入力部）２０６から入力されたユーザの音声を符号化した音声データと、音源装置２０４から受信したオーディオデータとをミキシング（合成）してメモリ２０８に保存するミキシング部２０７が備えられている点である。
【００２８】
続いて、本実施形態の動作について図面を参照して詳細に説明する。図６は、本実施形態におけるオーディオデータの作成フローを表したシーケンス図である。
【００２９】
図６を参照すると、まず、携帯端末２０１のユーザが音源装置２０４から出力されるオーディオデータに合わせて歌を歌う前に、携帯端末２０１の無線送受信部２０２が、音源装置２０４に対し、所定の暗号化方式にて暗号化した認証情報を含む無線設定情報を送信し認証を要求し、音源装置２０４が認証を行うまでの動作は上記した第１の実施形態と同様である（ステップＳ１０１〜Ｓ１０２）。
【００３０】
音源装置２０４は、前記認証に成功すると、携帯端末２０１のユーザから指定されたオーディオデータの再生を開始するとともに、携帯端末２０１に対して、前記再生しているオーディオデータを携帯端末２０１に送信する（ステップＳ２０３）。
【００３１】
携帯端末２０１は、マイク２０６から入力されたユーザの音声を符号化してミキシング部２０７に入力する（ステップＳ２０４）。
【００３２】
さらに、携帯端末２０１は、ミキシング部２０７にて、音源装置２０４から受信したオーディオデータと、ユーザから入力された音声データとをミキシング（合成）する（ステップＳ２０５）。
【００３３】
以上の処理は、音源装置２０４からの終了情報の受信またはオーディオデータの送信が終了するまで継続される。携帯端末２０１は、前記ユーザの音声がミキシングされたオーディオデータ（合成データ）をそのメモリ２０８に保存する（ステップＳ２０６）。
【００３４】
以上のとおり、本実施形態においても、携帯端末２０１のユーザは、自らの音声入りのオーディオデータを作成し、自ら聴いたり、電子メール等により配布したり、インターネット上で公開したりすることが可能になる。
【００３５】
［第３の実施形態］
続いて、ミキシング処理を携帯端末、音源装置とは別の第三の装置で行うようにした本発明の第３の実施形態について図面を参照して詳細に説明する。図７は、本発明の第３の実施形態の構成を説明するための図である。図７を参照すると、無線網３０３を介して、携帯電話端末等の携帯端末３０１と、カラオケ機器等の音源装置３０４とが接続された構成に加えて、パケット交換網３０７を介して、携帯端末３０１および音源装置３０４とデータ送受信が可能なサーバ３０８が接続された構成が示されている。
【００３６】
本実施形態に係る携帯端末３０１は、音源装置３０４と音声データおよびオーディオデータを送受信するための無線送受信部３０２と、マイク（音声入力部）３０６と、メモリ３１１と、サーバ３０８からユーザの音声が入ったオーディオデータを受信するための第２送受信部３１０と、を備えている。
【００３７】
音源装置３０４は、サーバ３０８に対し、ユーザから選択を受け付けたオーディオデータの配信を要求し、サーバ３０８から配信されたオーディオデータを再生するタイプのカラオケ機器等である。また、音源装置３０４は、配携帯端末３０１から音声データを受信し、サーバ３０８に対して前記受信した音声データを送信するための無線送受信部３０５を備えている。
【００３８】
サーバ３０８は、音源装置３０４に対し、ユーザから選択されたオーディオデータを配信するサーバである。オーディオデータを配信するサーバである。また、サーバ３０８は、音源装置３０４を介して受信した受信した携帯端末３０１のユーザの音声データと、自装置が保持するオーディオデータとをミキシング（合成）し、ミキシング（合成）した携帯端末ユーザの音声入りのオーディオデータを携帯端末３０１に送信するミキシング部３１２を備え、ミキシング装置として機能する。
【００３９】
図８は、図７の携帯端末３０１の詳細構成を表したブロック図である。図８を参照すると、携帯端末３０１は、携帯端末各部を制御するＣＰＵ３０９を備え、マイク（音声入力部）３０６から入力されたユーザの音声を符号化して音声データに変換し、無線送受信部３０２を介して、音源装置３０４に音声データを送出することが可能となっている。また、携帯端末３０１は、無線送受信部３０２を介して、サーバ３０８から受信したオーディオデータをメモリ３１１に保存する。
【００４０】
続いて、本実施形態の動作について図面を参照して詳細に説明する。図９は、本実施形態におけるオーディオデータの作成フローを表したシーケンス図である。
【００４１】
図９を参照すると、まず、携帯端末３０１のユーザが音源装置３０４から出力されるオーディオデータに合わせて歌を歌う前に、携帯端末３０１の無線送受信部３０２が、音源装置３０４に対し、所定の暗号化方式にて暗号化した認証情報を含む無線設定情報を送信し認証を要求し、音源装置３０４が認証を行うまでの動作は上記した第１、第２の実施形態と同様である（ステップＳ１０１〜Ｓ１０２）。
【００４２】
音源装置３０４は、前記認証に成功すると、サーバ３０８から携帯端末３０１のユーザから指定されたオーディオデータを受信し再生を開始する。携帯端末３０１は、前記認証完了通知を受信したタイミングで音声受け入れ状態となり、音源装置３０４から流れ出した楽曲に合わせて、携帯端末３０１のマイク３０６から入力された音声を音声データに変換して、音源装置３０４に送信する（ステップＳ３０３）。
【００４３】
音源装置３０４は、パケット交換網３０７を介して、無線送受信部３０５にて受信した音声データをサーバ３０８に転送する。
【００４４】
サーバ３０８は、音源装置から受信した携帯端末３０１のユーザの音声データと、音源装置３０４に配信中のオーディオデータとをミキシング（合成）する（ステップＳ３０４）。
【００４５】
以上の処理は、前記指定されたオーディオデータの再生終了もしくは演奏中止操作が行われるまで継続される。一方、サーバ３０８は、前記指定されたオーディオデータの再生終了もしくは演奏中止操作が行われると、ミキシング部３１２にて合成し終わったオーディオデータ（合成データ）あるいはオーディオデータ（合成データ）をダウンロードするためのＵＲＬ（Ｕｎｉｆｏｒｍ  Ｒｅｓｏｕｒｃｅ  Ｌｏｃａｔｏｒ）を電子メールで携帯端末３０１に送信する。
【００４６】
携帯端末３０１は、前記ユーザの音声がミキシングされたオーディオデータ（合成データ）を受信し、あるいは、オーディオデータ（合成データ）をダウンロードして、メモリ３１１に保存する（ステップＳ１０５）。
【００４７】
以上のように、本実施形態においても、携帯端末３０１のユーザは、サーバ３０８にて作成された自らの音声入りのオーディオデータを聴いたり、電子メール等により配布したり、インターネット上で公開したりすることが可能になる。
【００４８】
以上、本発明の実施形態を説明したが、本発明は、上記した実施形態に限定されるものではなく、本発明の基本的技術的思想を逸脱しない範囲で、更なる変形・置換・調整を加えることができる。
【００４９】
例えば、上記した実施形態では、ユーザの音声を入力するユーザ端末として携帯端末を用いるものとして説明したが、図１等に示した携帯電話端末の他、ユーザのパーソナルコンピュータや、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ，Ｐｅｒｓｏｎａｌ  Ｄｉｇｉｔａｌ  Ａｓｓｉｓｔａｎｔｓ：個人向け携帯型情報通信機器）を、音声入力手段を備えたユーザ端末として用いることが可能である。さらには、音源装置に接続されたマイクや、マイク付きのリモートコントローラ等を、音声入力手段を備えたユーザ端末として用いることも可能である。この場合であっても、これらユーザ機器やユーザが指定したアドレスに、ユーザの音声が入ったオーディオデータを送信することで、当該ユーザの音声入りのオーディオデータの試聴、配布、公開が容易化される。
【００５０】
また、例えば、上記した実施形態の携帯端末が、音源機器のリモートコントローラとして機能するようにしてもよい。
【００５１】
また上記した各実施形態では、携帯端末と音源機器とがそれぞれ１つずつ配置された構成を例示して説明したが、携帯端末が複数あってもよい。例えば、３台の携帯端末から音声データを入力し、３人分の声が入ったオーディオデータを作成・保存するようにしてもよい。また、各携帯端末毎あるいはミキシング部側でユーザ別のミキシングを行い、同一の曲を聴きながら、３人のユーザがそれぞれ自分の音声だけが入ったオーディオデータを作成するようにしてもよい。
【００５２】
また、上記した第３の実施形態では、サーバ３０８は、携帯端末３０１に、オーディオデータあるいはオーディオデータをダウンロードするためのＵＲＬを送信するものとして説明したが、ユーザが予め登録したＳＮＳ（Ｓｏｃｉａｌ  ｎｅｔｗｏｒｋｉｎｇ  Ｓｅｒｖｉｃｅ）サイトに、自動的に、作成したオーディオデータをアップロードする機能を備えるなどしてもよい。
【００５３】
また、上記した第３の実施形態の認証要求時に、携帯端末３０１から、メールアドレス情報をサーバ３０８に送っておくこともできる。このようにすれば、オーディオデータを送信する際のメールアドレスを登録の手間を省くことができる。
【００５４】
また、上記した第３の実施形態では、音源装置３０４が携帯端末３０１から音声データを受信し、サーバ３０８に転送するものとして説明したが、携帯端末３０１が、直接サーバ３０８に音声データを送信するようにしてもよい。また、上記した第３の実施形態では、音源装置３０４がサーバ３０８からオーディオデータの提供を受けているものとして説明したが、音源装置３０４が自らオーディオデータを保持しており、サーバ３０８がオーディオデータを保持していない場合には、音源装置３０４がミキシング装置として機能するサーバ３０８にオーディオデータを送信すればよい。
【００５５】
また、ユーザの音声だけでなく、ユーザが指定した動画ファイルや、カメラ等により入力された動画データ等を入力して、動画データとオーディオデータを合成させることとしてもよい。
【００５６】
また、上記した実施形態では、オーディオデータに合わせて、ユーザが歌った歌をミキシングするものとして説明したが、歌に限らず、ユーザの演奏音声や台詞などをオーディオデータとミキシングする用途にも適用することが可能である。
【符号の説明】
【００５７】
１０１、２０１、３０１  携帯端末
１０２、２０２、３０２  無線送受信部
１０３、２０３、３０３  無線網
１０４、２０４、３０４  音源装置
１０５、２０５、３０５  無線送受信部
１０６、２０６、３０６  マイク（音声入力部）
１０７、２０７、３１２  ミキシング部
１０８、２０８、３１１  メモリ
１０９、２０９、３０９  ＣＰＵ
３０７  パケット交換網
３０８  サーバ
３１０  第２送受信部
【図１】
2010256720.tif 000003
【図２】
2010256720.tif 000004
【図３】
2010256720.tif 000005
【図４】
2010256720.tif 000006
【図５】
2010256720.tif 000007
【図６】
2010256720.tif 000008
【図７】
2010256720.tif 000009
【図８】
2010256720.tif 000010
【図９】
2010256720.tif 000011